(57)【要約】【課題】計器板の車載用機器の取付口側近辺に保持手段或いは固定手段を集中させ、様々な車載用機器を容易に交換できるようにした車載用機器保持用ブラケットを提供する。【解決方法】車載用機器保持用ブラケット１０は、金属製板材からなる本体プレート１１の上下端縁を内側に折曲形成して断面コ字形状となるようにガイド板１２，１３を一体成型して構成し、前記本体プレート１１の前端部に内方向に押圧する第１板バネ１５及び第２板バネ１７を上下に並列して設ける。そして一の当該ブラケット１０ａを、計器板裏側の車載用機器取付部の一の内側面に配し、他の当該ブラケット１０ｂを他の内側面に配して、互いの開放面が内向するように固定した後、該両ブラケット１０ａ，１０ｂの間に車載用機器４０を挿入して、板バネ１５，１７で該機器の側面前端縁を押圧保持するようにした。【選択図】図２
2007331675.tif 000002
【特許請求の範囲】
【請求項１】
計器板裏側の車載用機器取付部の左右内側面に既設の取付金具へ取り付けて、カーオーディオ或いはカーナビゲーション等の車載用機器を保持する車載用機器保持用ブラケットであって、前記取付金具に固定される左右一対の本体プレートを有し、板バネを該本体プレートの前端縁近傍に形成し、板バネの押圧だけで前記車載用機器を保持することを特徴とする車載用機器保持用ブラケット。
【請求項２】
前記本体プレートの上下端縁を内側に折曲形成して断面コ字形に形成し、開放面を内向させて前記取付金具へ固定するようにしたことを特徴とする請求項１に記載の車載用機器保持用ブラケット。
【請求項３】
前記本体プレートの前端縁中間部に切れ込みを入れて、上下に並列する第１板バネ及び第２板バネを該本体プレート前端縁に形成したことを特徴とする請求項２に記載の車載用機器保持用ブラケット。
【請求項４】
一対の前記本体プレートの下端縁を底板で連結して上面を開口した断面凹形に形成したことを特徴とする請求項１に記載の車載用機器保持用ブラケット。
【請求項５】
前記本体プレートの前端縁に切れ込みを入れて、前記板バネを前記本体プレートの上端角部に形成したことを特徴とする請求項４に記載の車載用機器保持用ブラケット。
【発明の詳細な説明】
【技術分野】
【０００１】
本発明は、計器板裏側の車載用機器取付部の左右内側面に既設の取付金具へ取り付けて、カーオーディオ或いはカーナビゲーション等の車載用機器を保持する車載用機器保持用ブラケットに関する。
【背景技術】
【０００２】
カーオーディオやカーナビゲーション等の車載用機器の取付口は、大部分がＤＩＮ規格に合わせて形成されている。したがって、車載機器本体の高さと幅がＤＩＮ規格の範囲内にあり、取付部がＤＩＮ規格に合致すれば、規格が統一されているので、既に取付けられている純正品の車載用機器を、市販されている別の車載用機器に乗せかえることが可能である。
しかしながら、最近自動車メーカーは、車種或いはグレード間の差別化を図るため、取付部はＤＩＮ規格に準拠しているものの、前面に視認し易い大画面パネル、若しくは計器板のデザインにあわせてＤＩＮ規格に準拠しないパネル等（以下「異形パネル」という）を配設した車載用機器を搭載することがある。このようなメーカー独自のデザインによって異形パネルを有した車載用機器は、車載用機器取付口のパネル開口が同一の大きさ形状ではないため、他の車両との互換性がなく、取り付けることができない。
【０００３】
そこで計器板において、車載用機器を当初の設計上取り付けられない部分へ市販の車載用機器を取付可能とするため、例えば特許文献１に示すような、自動車室内のパネル（計器板）に設けられた小物入れラックをオーディオラックに転用するためのブラケットが公知である。該ブラケットはオーディオ装置が装着される矩形断面の筒状に形成された金属板からなり、該文献中に図示されているように、上側面中央の左右両端付近及び左右両側面の中央付近で、３方向からオーディオ装置を押圧する内面側へ切り起こされた板バネが設けられている。
【特許文献１】実用新案登録第３０２９７８６号公報
【発明の開示】
【発明が解決しようとする課題】
【０００４】
しかしながら、上記の装置は、以下のような問題点が生じるおそれがある。
１）上記装置は矩形断面に形成するため、大きな板材が必要になると共に、該装置の側面中央部で３方向を切り欠き、さらに内側へ切り起こして板バネを形成する等、バネを設ける位置合わせ等複雑な工程によって、手間やコストがかかる。
２）機器の奥行きがそれほど必要とならない例えば液晶モニタ等の車載用機器の場合、板バネの位置に対して機器の奥行きが足らず、板バネによって機器のガタツキを抑えこむ効果が期待できない。
３）板バネが押圧可能である奥行きを持つ車載用機器が限定されてしまい、乗せ換え可能な車載用機器の選択の幅が狭まってしまう。
４）小物入れ用ラックを機器用ラックに転用するため、ラックに保持体を嵌合し、さらに該保持体にブラケットを挿嵌し、該ブラケットが車載用機器を保持する複雑な構造であるにもかかわらず、さらに、車載用機器本体側に設けた掛合爪とブラケット側に設けた掛合孔とが掛合して保持するようにしているので、ブラケット自体が有する車載用機器保持力が十分でない。
一方、上記のような複雑な構造の転用ラックを使用せずに異形パネルを有する車載用機器を乗せ換えようとする場合、最も単純な方法は、車載用機器取付部に設けられた固定用ネジ穴に、車両側の既設の取付金具をボルトで固定して取り付ける方法である。しかしながら、この場合、車載用機器の異形パネル周縁と計器板のパネル開口とが干渉し、異形パネルを有する車載用機器を取り付けることができない。
【０００５】
したがって、上記課題を鑑みてなされた本発明は、車載用機器の取付口側近辺に保持手段或いは固定手段を集中させ、様々な車載用機器を容易に交換できるようにした車載用機器保持用ブラケットを提供することを目的とする。
【課題を解決するための手段】
【０００６】
請求項１に記載の車載用機器保持用ブラケットは、計器板裏側の車載用機器取付部の左右内側面に既設の取付金具へ取り付けて、カーオーディオ或いはカーナビゲーション等の車載用機器を保持する車載用機器保持用ブラケットであって、前記取付金具に固定される左右一対の本体プレートを有し、板バネを該本体プレートの前端縁近傍に形成し、板バネの押圧だけで前記車載用機器を保持することを特徴とする。
【０００７】
請求項２に記載の車載用機器保持用ブラケットは、請求項１に記載の前記ブラケットにおいて、前記本体プレートの上下端縁を内側に折曲形成して断面コ字形に形成し、開放面を内向させて前記取付金具へ固定するようにしたことを特徴とする。
【０００８】
請求項３に記載の車載用機器保持用ブラケットは、請求項２に記載の前記ブラケットにおいて、前記本体プレートの前端縁中間部に切れ込みを入れて、上下に並列する第１板バネ及び第２板バネを該本体プレート前端縁に形成したことを特徴とする。
【０００９】
請求項４に記載の車載用機器保持用ブラケットは、請求項１に記載の前記ブラケットにおいて、一対の前記本体プレートの下端縁を底板で連結して上面を開口した断面凹形に形成したことを特徴とする。
【００１０】
請求項５に記載の車載用機器保持用ブラケットは、請求項４に記載の前記ブラケットにおいて、前記本体プレートの前端縁に切れ込みを入れて、前記板バネを前記本体プレートの上端角部に形成したことを特徴とする。
【発明の効果】
【００１１】
請求項１に記載の車載用機器保持用ブラケットによれば、左右一対の本体プレート前端縁に形成した板バネが車載用機器を押圧保持するので、車載用機器の本体の奥行きにかかわらず、計器板の車載用機器の取付口付近で該車載用機器本体を保持する。したがって、パネル部がＤＩＮ規格より大きく異形であっても、本体部がＤＩＮ規格に準拠した車載用機器であれば、パネル部が取付口から突出する場合であっても、車載用機器を取り付けることができる。また、本体プレートは既設の車載用機器取付金具を利用するため、簡単な構造で車載用機器を確実に保持することができる。
【００１２】
請求項２に記載の車載用機器保持用ブラケットによれば、本体プレートの上下縁部を同方向に折り曲げて断面コ字形に形成したので、車載用機器を保持するのに十分な剛性を備えつつ、使用する板材の無駄を省くと共に、単純な工程によって、コストを抑えることができる。
【００１３】
請求項３に記載の車載用機器保持用ブラケットによれば、請求項２に記載の該ブラケットの前端縁で第１板バネと第２板バネを上下に並列するように形成したので、搭載する車載用機器の高さによって、第１板バネと第２板バネを共用して高さのあるカーナビゲーション等の車載用機器を保持する場合や、また、上方の板バネと下方の板バネをそれぞれ単独で用いて、例えば既設のカーラジオ等と市販の車載用ＣＤプレーヤー等、様々な車載用機器を組み合わせて保持する場合に対応することができる。
【００１４】
請求項４に記載の車載用機器保持用ブラケットによれば、該ブラケットは底板の両端に一対の本体プレートを立設して上面を開口した断面凹形に一体形成したので、ブラケットの取り付けの際に、左右別々に本体プレートの位置決めを行うよりも容易に位置決めを行うことができる。
【００１５】
請求項５に記載の車載用機器保持用ブラケットによれば、本体プレートの前端縁に切れ込みを入れ、本体プレートの上端角部へ板バネを形成した。そのため、液晶モニタ等の高さがあって奥行きの無い筐体が、その下端を中心に手前側に倒れることを板バネの必要最小限の押圧力をもって防ぐことができる。
【実施例１】
【００１６】
以下、本発明の第１実施例を図面に基づき説明する。添付した図面は、図１に左右一対の車載用機器保持用ブラケット１０ａ，１０ｂを示し、図２に当該ブラケット１０ａ，１０ｂの取付方法の説明図を図示する。
【００１７】
図１に示すように車載用機器保持用ブラケット１０ａ，１０ｂは左右一対に形成されるので、以下車載用機器保持用ブラケット１０ａについて記載する。
【００１８】
車載用機器保持用ブラケット１０ａは、金属製板材からなる本体プレート１１と、その上端縁を内側へ直角に折り曲げた第１ガイド板１２と、下端縁を内側へ直角に折り曲げた第２ガイド板１３とから断面コ字形に構成する。
【００１９】
本体プレート１１は、上下角部付近に４箇所の取付孔１４を設ける。また、本体プレート１１の前端縁には、上から第１板バネ１５、舌片１６、第２板バネ１７を突出形成する。第１板バネ１５及び第２板バネ１７は、同形状で、折曲線１８で内側に折り曲げ、折曲線１９で外側に拡開して、折曲線１８，１９間に、保持面１５ａ，１７ａを形成する。また好ましくは、本体プレート１１の高さはＤＩＮ規格に合わせ、２ＤＩＮ分の高さとする。
【００２０】
第１ガイド板１２及び第２ガイド板１３は、その前端に第１補助ガイド片２１と第２補助ガイド片２２を突出形成する。両ガイド片２１，２２は折曲部２３，２４でそれぞれ外側に拡開する。
【００２１】
本実施例の車載用機器保持用ブラケット１０ａの構成は以上であって、車載用機器保持用ブラケット１０ｂは、ブラケット１０ａの上下を逆転し、本体プレート１１の上端縁には第２ガイド板１３が形成され、下端縁には第１ガイド板１２が形成されると共に、その前端部には、上から第２板バネ１７、舌片１６、第１板バネ１５が突出形成される。
【００２２】
また、図２に示すように、本実施例の車載用機器保持用ブラケット１０ａが取付穴１４を介して取付けられる取付金具３０ａ，３０ｂは、車体に予め搭載していたカーオーディオ、カーナビゲーション等の車載用機器を取り付けるために用いていた取付金具３０ａ，３０ｂであって、車載用機器に係合する取付穴３１と、車体側の計器板裏側の車載用機器取付部に係合する固着孔３２を有する略断面Ｌ字形に形成された金属製板材からなる部材である。そして、従来、取付穴３１には車体側から車載用機器側に向かってボルト３３が挿通され、車載用機器４０に設けられたネジ穴に螺嵌されていたが、本実施例の実施にあたって該ボルト３３と螺合するナット３４を新たに用意した。
【００２３】
次に図面に基づいて取付方法を説明する。
車載用機器保持用ブラケット１０ａの取付穴１４と、計器板裏側の車載用機器取付部の左内側面に配した取付金具３０ａが有する取付穴３１とを重ね合わし、ボルト３３を車載用機器保持用ブラケット１０ａ内側から挿通し、取付金具３０ａを介してナット３４で固定する。そして、車載用機器保持用ブラケット１０ｂと、右内側面に配した取付金具３０ｂとを、車載用機器保持用ブラケット１０ａと同様に固定する。
【００２４】
上記のように開放面を内向させて固定した一対の車載用機器保持用ブラケット１０ａ，１０ｂの間に、まず、計器板の車載用機器取付口周囲にカバーを取付けた後に、カーナビゲーションシステム等の車載用機器４０を該取付口に挿嵌すると、車載用機器４０の後端角部が第１補助ガイド片２１若しくは第２補助ガイド片２２に当って、第１ガイド板１２と第２ガイド板１３との間に車載用機器４０は誘導される。そして車載用機器４０のパネル裏面４１等が計器板の車載用機器取付口端部、すなわち両板バネ１５，１７先端に近づく位置まで、車載用機器４０を計器板の車載用機器取付部内に押し込むと、両板バネ１５，１７の保持面１５ａ，１７ａが車載用機器４０の側面４２に密接し、ブラケット１０ａ，１０ｂに設けた板バネ１５，１７が、車載用機器４０を左右から押圧保持する。
【００２５】
本実施例の車載用機器保持用ブラケット１０ａ，１０ｂは、本体プレート１１及びその上下端縁にガイド板１２，１３を折曲形成する幅の板材のみから成型加工することができるので、原材料の無駄を省くことができる。また、側面開口の断面コ字形状に形成したので、該ブラケット１０ａ，１０ｂの向きを揃えて重ね合わせ、輸送若しくは陳列することができ、輸送コスト等を抑えることができる。さらに、板バネを第１板バネ１５と第２板バネ１７に分けて形成したので、主流の２ＤＩＮサイズのカーナビゲーションシステム等の車載用機器４０を保持することは勿論、１ＤＩＮサイズのカーラジオ等の車載用機器を２台分組み合わせて保持することも可能である。
【実施例２】
【００２６】
以下、本発明の第２実施例を図面に基づき説明する。添付した図面は、図３に車載用機器保持用ブラケット１０Ａを示し、図４に当該車載用機器保持用ブラケット１０Ａの取付方法の説明図を図示する。
【００２７】
図３に示すように車載用機器保持用ブラケット１０Ａは、一対の金属製板材からなる本体プレート１１Ａの下端部に底板５１を連設して上面を開口した断面凹形状に構成する。
【００２８】
本体プレート１１Ａは、前端縁の中央に切れ込み５２を入れ、上半分を折曲線５３で内側方向に折り曲げ、折曲線５４で外側方向に折り曲げて、折曲線５３，５４間に保持面５５ａを有する板バネ５５を形成し、本体プレートの折曲線５３よりも後方に複数個の取付穴５６を形成する。また好ましくは、本体プレート１１Ａの高さは、ＤＩＮ規格に合わせて、２ＤＩＮ分の高さとする。
【００２９】
底板５１は、後端の一部をコ字形に切除した開放端部５７を有し、また好ましくは、底板５１の幅は、ＤＩＮ規格に合わせた幅とする。
【００３０】
また、本実施例の車載用機器保持用ブラケット１０Ａが取り付けられる車体側の取付金具３０ａ，３０ｂは、実施例１と同様のものを使用する。
【００３１】
本実施例の車載用機器保持用ブラケット１０Ａの構成は以上であって、次に図面に基づいて取付方法を説明する。
車載用機器保持用ブラケット１０Ａは、その取付穴５６と車体側取付金具３０ａ，３０ｂの取付穴３１とを重ね合わせて、ボルト３３及びナット３４で連結し、底板５１の開放端部５７を奥向きに、計器板の車載用機器取付部内の所定位置に収め、車体側取付金具３０ａ，３０ｂの固着孔３２に固着具を係合して、車載用機器保持用ブラケット１０Ａを固定する。その後、計器板の車載用機器取付口周囲を覆うカバーを取り付ける。
【００３２】
そして、固定された車載用機器保持用ブラケット１０Ａに、カーオーディオ、カーナビゲーション等車載用機器４０を該取付口側から差し込むと、板バネ５５の保持面５５ａが車載用機器４０の側面４２を押圧して保持する。
【００３３】
上記実施例１及び実施例２に示したように、ＤＩＮ規格に従って設けられた車載用機器取付口端部へ、車載用機器４０のパネル部が異形パネルであっても、車載用機器本体部の周囲長さがＤＩＮ規格に準拠する車載用機器４０は挿嵌することができる。
そのため、例えば、高級車等に標準装備されたワイド画面（異形パネル）を有するカーナビゲーションシステムを、最新式のシステムに乗せ換えた場合、従来、同車種のみにしか取付けることができなかったので使用方法が無かった異形パネルを有する旧システムを、本実施例の車載用機器保持用ブラケット１０，１０Ａを用いれば、車種を問わずに取付けることができる。
【００３４】
上記のように放出された中古のカーナビゲーションシステムを入手して乗せ換える、すなわち１０年落ちのカーナビゲーションシステムを５年落ちのものに変更したり、５年落ちのカーナビゲーションシステムを３年落ちのものに変更したりする場合、最新式、かつＤＩＮ規格に準拠したパネルを有する市販カーナビゲーションシステムを購入しなくても、使用に十分耐えうる中古の異形パネルを有したカーナビゲーションシステムを低価格で購入することで、ランニングコストを低く抑えることができる。
【００３５】
上記の実施例１及び実施例２に示した方法によって車載用機器４０を車載用機器保持用ブラケット１０，１０Ａで保持した場合には、大画面液晶等のＤＩＮ規格に準拠しない異形のパネル部を有する車載用機器４０は、車体独自の計器板デザインに合わせた取付口端部とは面一となるように収納されない。しかしながら、パネル裏面４１が取付口端部と当接するまで、車載用機器４０を押し込んだとき、その突出部分は、パネル部、すなわち液晶画面本体分の厚さ程度であるため、計器板周辺の美的外観に違和感を与えることはない。
また、上記の突出部分の周縁角部が面取り加工等されていなければ、ウレタンテープ等を貼着して安全対策を施すことも可能である。
【図面の簡単な説明】
【００３６】
【図１】本発明の実施例１に係る車載用機器保持用ブラケットを示す斜視図である。
【図２】本発明の実施例１に係る車載用機器保持用ブラケットの取付方法を示す説明図である。
【図３】本発明の実施例１に係る車載用機器保持用ブラケットを示す斜視図である。
【図４】本発明の実施例１に係る車載用機器保持用ブラケットの取付方法を示す説明図である。
【符号の説明】
【００３７】
１０，１０Ａ…車載用機器保持用ブラケット、１１，１１Ａ…本体プレート、
１２…第１ガイド板、１３…第２ガイド板、１４…取付穴、１５…第１板バネ、１５ａ…保持面、１６…舌片、１７…第２板バネ、１７ａ…保持面、
２１…第１補助ガイド片、２２…第２補助ガイド片、
３０ａ，３０ｂ…車体側取付金具、３１…取付穴、３２…固着孔、３３…ボルト、３４…ナット、
４０…車載用機器、４１…パネル裏面、４２…側面、
５１…底板、５２…切れ込み、５３，５４…折曲線、５５…板バネ、５５ａ…保持面、５６…取付穴、５７…開放端部。
【図１】
2007331675.tif 000003
【図２】
2007331675.tif 000004
【図３】
2007331675.tif 000005
【図４】
2007331675.tif 000006